(57)【要約】【課題】  管内放電により端子用電極のエッヂ部の破壊を完全に防止し、更に端子用電極のエッヂ部への電界集中を回避する。【解決手段】  端子用電極３０の周囲に、これを取り囲むように絶縁基板２９に溝３７が形成されている。端子用電極３０の中央に形成された透孔３１に端子片の一端のはとめ部３２が挿入される。はとめ部３２の周囲には端子用電極３０と接触する鍔部３４を有し、鍔部３４の外周には鍔部３４に対して折り曲げられた折り曲げ部４０を有する。折り曲げ部４０は溝３７に嵌入している。【選択図】  図４
2005222735.tif 000002
【特許請求の範囲】
【請求項１】
セラミックス系材料からなる長方形状の絶縁基板と、
前記絶縁基板上に配設された所定の抵抗値を有する抵抗体と、
前記抵抗体に接続された複数の島状の端子用電極と、
前記端子用電極の略中央に設けられた、前記絶縁基板を貫通する透孔と、
前記透孔に挿入されたはとめ部を一端に備え、前記端子用電極と電気的に接続された端子片と
を有する管内用抵抗器であって、
少なくとも一つの前記端子用電極の周囲に、これを取り囲むように前記絶縁基板に溝が形成されており、
前記はとめ部は、その周囲に前記端子用電極と接触する鍔部を有し、
前記鍔部の外周には前記鍔部に対して折り曲げられた折り曲げ部を有し、
前記折り曲げ部が前記溝に嵌入していることを特徴とする管内用抵抗器。
【請求項２】
略矩形状のフェースパネルと、
前記フェースパネルに連接された漏斗状のファンネルと、
前記フェースパネル内面に形成された蛍光体スクリーンと、
電子ビームを前記蛍光体スクリーン上に集束させる複数のグリッド電極を備え、前記ファンネルのネック内に配置された電子銃と、
前記複数のグリッド電極に所定の電圧を印加するための管内用抵抗器と
を備えた陰極線管であって、
前記管内用抵抗器が請求項１に記載の管内用抵抗器であることを特徴とする陰極線管。
【発明の詳細な説明】
【技術分野】
【０００１】
本発明は、カラー陰極線管等に内蔵されグリッド電極に分圧された電圧を供給するための管内用抵抗器、及びこの管内用抵抗器を内蔵した陰極線管に関する。
【背景技術】
【０００２】
現在、一般的なカラーテレビジョン受像機等に使用されているカラー陰極線管は、図５に示すように、略矩形状を呈するフェースパネル６１と、このフェースパネル６１に一体的に接合された漏斗状のファンネル６２とからなる外囲器を有する。フェースパネル６１の内面には、青、緑、赤に発光するストライプ状あるいはドット状の３色蛍光体層からなる蛍光体スクリーン６３が形成されている。この蛍光体スクリーン６３に対向して、多数のアパーチャが形成されたシャドウマスク６４がフェースパネル６１の内壁面に装着されている。
【０００３】
ファンネル６２のネック６５内には、センタービーム６６Ｇと、この両側の一対のサイドビーム６６Ｂ，６６Ｒとが同一水平面上を通るように３本の電子ビーム６６Ｂ，６６Ｇ，６６Ｒを放出する３つのカソードが水平方向に一列に配列されたインライン型の電子銃６７が配設されている。この電子銃６７から放出される３本の電子ビーム６６Ｂ，６６Ｇ，６６Ｒを、ファンネル６２の外側に装着された偏向ヨーク６８が発生する水平及び垂直偏向磁界によって偏向し、シャドウマスク６４を介して蛍光体スクリーン６３上を、水平方向及び垂直方向に走査させることによって、蛍光体スクリーン６３上にカラー画像が表示される。
【０００４】
このようなカラー陰極線管においては、インライン型の電子銃６７の主レンズ部分の低圧側電極及び高圧側電極のサイドビーム６６Ｂ，６６Ｒの通過孔の位置を偏心させることによって、蛍光体スクリーン６３の中央において３本の電子ビーム６６Ｂ，６６Ｇ，６６Ｒを集中させ、更に、偏向ヨーク６８にピンクッション形の水平偏向磁界とバレル形の垂直偏向磁界とを発生させることによって、３本の電子ビーム６６Ｂ，６６Ｇ，６６Ｒを画面全域で自己集中させる、セルフコンバーゼンス方式が広く実用化されている。
【０００５】
このようなカラー陰極線管に使用されている電子銃６７は、図６に示すように、例えば、水平方向に一列配置された３本のカソードＫと、このカソードＫを加熱するヒータ（図示せず）と、カソードＫから電子ビーム６６Ｂ，６６Ｇ，６６Ｒの進行方向に順次配置された第１グリッド電極Ｇ１〜第８グリッド電極Ｇ８からなる複数個のグリッド電極と、第８グリッド電極Ｇ８に溶接されたコンバーゼンスカップＣＶとを有している。なお、本例では第５グリッド電極Ｇ５は、２つの電極部分Ｇ５−１，Ｇ５−２から構成される。これら各グリッド電極Ｇ１〜Ｇ８は、ビードガラスからなる一対の絶縁支持体６９によって管軸Ｚ方向に所定の間隔で支持固定されており、更に、この電子銃６７の一側部には、電子銃６７の長手方向に沿って管内用抵抗器７０が配設されている。
【０００６】
各グリッド電極Ｇ１〜Ｇ８は、所定の電位となるようにバイアスされている。例えば第３グリッド電極Ｇ３及び第５グリッド電極Ｇ５は共通に接続され、第３グリッド電極Ｇ３には抵抗器７０の中間部に設けられた電圧供給端子Ｒ１から所定のフォーカス電圧が供給される。第４グリッド電極Ｇ４及び第６グリッド電極Ｇ６は共通に接続され、第４グリッド電極Ｇ４には抵抗器７０の中間部に設けられた他の電圧供給端子Ｒ２から２５〜３５ＫＶ程度の陽極電圧の約３５〜４５％程度に相当する電圧が供給される。第７グリッド電極Ｇ７には抵抗器７０の中間部に設けられた他の電圧供給端子Ｒ３から陽極電圧の５０〜７０％程度に相当する電圧が供給される。第８グリッドＧ８にはまた別の電圧供給端子Ｒ４からコンバーゼンスカップＣＶを介して陽極電圧がそのまま供給される。これら各グリッド電極Ｇ１〜Ｇ８によって、電子ビーム６６Ｂ，６６Ｇ，６６Ｒを蛍光体スクリーン６３上に集束させるための、主レンズを含む複数の電子レンズが形成される。抵抗器７０の一端は、端子Ｒ５を介してアースされている。
【０００７】
このように、陽極電圧を分圧して各グリッド電極Ｇ１〜Ｇ８に必要な動作電圧を供給するための管内用抵抗器７０は例えば特許文献１，２により公知である。一般的な管内用抵抗器７０の構成を図７を用いて説明する。
【０００８】
管内用抵抗器７０は、酸化アルミニウム等のセラミックス系の材料で形成された長方形状の絶縁基板７１と、この絶縁基板７１上の所定の箇所に形成された複数の島状の端子用電極７２とを備える。電極７２は、酸化ルテニウムを含む金属酸化物とほう硅酸鉛系のガラスよりなる電極材料を絶縁基板７１上に印刷して乾燥させ焼成して形成されている。各々の電極７２の中央には、図８に示すように、絶縁基板７１を貫通する透孔７３が穿設されている。この透孔７３に舌片状の端子片７５の一端に形成されたはとめ部７４を挿入した後、はとめ部７４の先端をかしめてかしめ部７６を形成することにより、絶縁基板７１と端子用電極７２とをはとめ部７４の周囲の鍔部７７とかしめ部７６とで両側から強固に挟持させて、端子片７５が絶縁基板７１に固定されている。端子片７５の他端は所定のグリッド電極に接続され、端子片７５を介して各グリッド電極に端子用電極７２の電圧が印加される。
【０００９】
各端子用電極７２は抵抗体７８で接続されている。この抵抗体７８は、酸化ルテニウムを含む金属酸化物とほう硅酸鉛系のガラスとからなる抵抗材料を絶縁基板７１上に印刷し乾燥させ焼成することにより形成されている。各端子用電極７２間の抵抗体７８は、所望の抵抗値が得られるように、蛇行させたり間隔を変化させたりすることにより幅及び長さが適切に設定されており、その結果、端子用電極７２のそれぞれにて所望の電圧が得られる。絶縁基板７１の表面及び抵抗体７８は、端子用電極７２を除いて絶縁被膜層７９によって被覆されている。
【００１０】
このような管内用抵抗器７０においては、偏向ヨーク６８が発生する偏向磁界に影響を与えず、且つ、電子銃６７の電界を乱し電子ビームの軌道をずらさないために、端子片７５の材料としては、Ｆｅ−Ｎｉ−Ｃｒ合金からなる非磁性ステンレス鋼等の比透磁率が１．０１以下、好ましくは１．００５以下の磁界に影響を与えない非磁性合金が一般的に使用される。
【特許文献１】特許第３４０６６１７号公報
【特許文献２】実開昭６３−１３９７５６号公報
【発明の開示】
【発明が解決しようとする課題】
【００１１】
このような高電圧が印加されるカラー陰極線管の耐電圧特性を良好なものとするために、カラー陰極線管の製造工程の一工程である排気工程後に、通常の動作電圧の２〜３倍程度のピーク電圧（６０〜７０ｋＶ）を有する高電圧を印加して、強制的に放電させることによって、耐電圧の低下の原因となる電子銃６７を構成するグリッド電極Ｇ１〜Ｇ８及びコンバーゼンスカップＣＶのバリや付着物等を除去する耐電圧処理が施される。
【００１２】
高電圧を印加すると、例えばＺ軸方向において第５グリッド電極Ｇ５とほぼ同じ位置に絶縁支持体６９を囲うように巻回されたサプレッサーリングと称される金属性リング（図示せず）と、抵抗器７０との間でグロー放電が発生する場合がある。このグロー放電によって端子用電極７２の絶縁破壊が引起こされる。この絶縁破壊が発生すると同時に端子用電極７２に近接配置されている絶縁被膜層７９が破壊されて、絶縁被膜層７９を構成するガラス粉が管内に飛散し、この飛散したガラス粉がシャドウマスク６４のアパーチャに到達し、シャドウマスク６４のアパーチャ詰まりの一因となる。更に、この絶縁破壊によって、端子用電極７２と接続されている抵抗体７８までも破壊される場合もあり、抵抗値の変化や、最悪の場合には抵抗体７８の断線が生じる。
【００１３】
このように、シャドウマスク６４のアパーチャ詰まりや抵抗体７８の断線が発生すると、カラー陰極線管としては不良品となり、もはや製品として出荷することはできない。また、抵抗体７８が断線を免れたとしても、グロー放電が発生したことによって抵抗体７８に過大な電流が流れて抵抗体７８の抵抗値変化等が生じると、所定の分圧電圧を得ることができなくなり、このため電子銃６７のフォーカス不良を生じてしまう。
【００１４】
さらに、耐電圧処理時には、高電位の端子用電極７２と中電位の端子用電極７２との間に生じる放電よって発生したイオンが端子用電極７２のエッヂ部に衝突し端子用電極７２を破壊するという現象が顕著に発生する。この現象により端子用電極７２の材料が剥離する。この剥離し脱落した材料は、前述と同じように陰極線管内を浮遊し、シャドウマスク６４のアパーチャ詰まりを生じさせる。また、イオン衝突の程度によっては端子用電極７２の材料が局部的に溶融し、その際発生するガスで管内放電を助長させるおそれがある。これらの現象は電界強度が高い高圧側に位置した端子用電極７２のエッヂ部にて特に起こり易い。
【００１５】
また、端子用電極７２のエッヂ部の外周端は鋭角断面を有しているので、電界が集中し電子放出が起こりやすい。この電子放出がトリガーとなって管内放電を誘発させ放電電流が抵抗器７０に流れ込むと、グリッド電極に対して所定の電圧を安定して供給できなくなり、その結果、陰極線管のフォーカス不具合を引き起こす。
【００１６】
このように、従来の陰極線管では、絶縁被膜層７９の剥離、抵抗体７８の破壊、端子用電極７２のエッヂ部の剥離及び溶融、端子用電極７２のエッヂ部への電界集中による管内放電の誘発等の問題がある。特に端子用電極７２のエッヂ部への電界集中による管内放電が大きな問題となっている。
【００１７】
本発明は、上記の問題を解決し、端子用電極のエッヂ部の破壊を完全に防止し、更に端子用電極のエッヂ部への電界集中を回避することが可能な管内用抵抗器及びこれを備えた陰極線管を提供することを目的とする。
【課題を解決するための手段】
【００１８】
本発明の管内用抵抗器は、セラミックス系材料からなる長方形状の絶縁基板と、前記絶縁基板上に配設された所定の抵抗値を有する抵抗体と、前記抵抗体に接続された複数の島状の端子用電極と、前記端子用電極の略中央に設けられた、前記絶縁基板を貫通する透孔と、前記透孔に挿入されたはとめ部を一端に備え、前記端子用電極と電気的に接続された端子片とを有する。そして、少なくとも一つの前記端子用電極の周囲に、これを取り囲むように前記絶縁基板に溝が形成されており、前記はとめ部は、その周囲に前記端子用電極と接触する鍔部を有し、前記鍔部の外周には前記鍔部に対して折り曲げられた折り曲げ部を有し、前記折り曲げ部が前記溝に嵌入している。
【００１９】
また、本発明の陰極線管は、略矩形状のフェースパネルと、前記フェースパネルに連接された漏斗状のファンネルと、前記フェースパネル内面に形成された蛍光体スクリーンと、電子ビームを前記蛍光体スクリーン上に集束させる複数のグリッド電極を備え、前記ファンネルのネック内に配置された電子銃と、前記複数のグリッド電極に所定の電圧を印加するための管内用抵抗器とを備える。ここで、前記管内用抵抗器は本発明の上記の管内用抵抗器である。
【発明の効果】
【００２０】
本発明によれば、端子用電極は、鍔部及び折り曲げ部によりほぼ覆われる。従って、端子用電極のエッヂ部へのイオン衝突をほぼ完全に防止できるため、端子用電極のエッヂ部の破壊が抑制される。また、端子用電極のエッヂ部への電界集中を回避することができるので、放電の発生を抑えることができ、抵抗体の破壊又は損傷あるいは放電電流によるフォーカス特性の悪化を防止できる。
【発明を実施するための最良の形態】
【００２１】
本発明を実施の形態を示しながら詳細に説明する。但し、本発明は以下に示す具体例に限定されない。
【００２２】
図１は、本発明に係る管内用抵抗器を内蔵したカラー陰極線管の断面図である。
【００２３】
カラー陰極線管は、略矩形状を呈するフェースパネル１１と、このフェースパネル１１に一体的に接合された漏斗状のファンネル１２とからなる外囲器を有する。フェースパネル１１の内面には、青、緑、赤に発光するストライプ状あるいはドット状の３色蛍光体層からなる蛍光体スクリーン１３が形成されている。この蛍光体スクリーン１３に対向するように、多数のアパーチャが形成されたシャドウマスク１４がマスクフレーム１５に保持されている。このマスクフレーム１５は、マスクフレーム１５に固定された弾性支持体１６及びフェースパネル１１に植設されたスタッドピン１７を介してフェースパネル１１の内壁面に装着されている。マスクフレーム１５には、磁気シールド板１８が取り付けられている。
【００２４】
ファンネル１２のネック１９内には、センタービーム２０Ｇと、この両側の一対のサイドビーム２０Ｂ，２０Ｒとが同一水平面上を通るように３本の電子ビーム２０Ｂ，２０Ｇ，２０Ｒを放出する３つのカソードが水平方向に一列に配列されたインライン型の電子銃２１が配設されている。この電子銃２１から放出される３電子ビーム２０Ｂ，２０Ｇ，２０Ｒを、ファンネル１２の外側に装着された偏向ヨーク２２が発生する水平及び垂直偏向磁界によって偏向し、シャドウマスク１４を介して蛍光体スクリーン１３を水平方向及び垂直方向に走査させることによって、蛍光体スクリーン１３上にカラー画像が表示される。
【００２５】
このようなカラー陰極線管においては、インライン型の電子銃２１の主レンズ部分の低圧側電極及び高圧側電極のサイドビーム２０Ｂ，２０Ｒの通過孔の位置を偏心させることによって、蛍光体スクリーン１３の中央において３本の電子ビーム２０Ｂ，２０Ｇ，２０Ｒを集中させ、更に、偏向ヨーク２２にピンクッション形の水平偏向磁界とバレル形の垂直偏向磁界とを発生させることによって、３本の電子ビーム２０Ｂ，２０Ｇ，２０Ｒを画面全域で自己集中させる、セルフコンバーゼンス方式が採用されている。
【００２６】
この電子銃２１は、図２に示すように、水平方向に一列配置された３本のカソードＫと、このカソードＫを加熱するヒータ（図示せず）と、カソードＫから電子ビーム２０Ｂ，２０Ｇ，２０Ｒの進行方向に順次同軸上に配置された第１グリッド電極Ｇ１〜第８グリッド電極Ｇ８からなる複数個のグリッド電極と、第８グリッド電極Ｇ８に溶接されたコンバーゼンスカップＣＶとを有している。これらカソードＫ及び各グリッド電極Ｇ１〜Ｇ８は、ビードガラスからなる一対の絶縁支持体２３によって管軸方向に所定の間隔で支持固定されており、更に、一方の絶縁支持体２３の一側部には、絶縁支持体２３の長手方向に沿って管内用抵抗器２４が配設されている。
【００２７】
コンバーゼンスカップＣＶは第８グリッド電極Ｇ８に溶接にて固定され、電気的にも接続されている。コンバーゼンスカップＣＶには導電スプリング２５が取付けられており、この導電スプリング２５が陽極電圧が供給される管内内壁に被着されているグラファイト導電膜２６に弾性的に接触している。従って、陽極電圧は、導電スプリング２５を介してコンバーゼンスカップＣＶ及び第８グリッド電極Ｇ８に供給され、更に、端子片２７を介して抵抗器２４の一端に供給されている。この抵抗器２４の高圧側に供給された陽極電圧は、抵抗器２４の抵抗によって分圧され、分圧電圧が各端子片２７を介して第７グリッド電極Ｇ７、第６グリッド電極Ｇ６、及び第５グリッド電極Ｇ５に供給される。抵抗器２４の他端には、アースピン２８に接続された端子片２７が設けられている。第３グリッド電極Ｇ３及び第５グリッド電極Ｇ５は共通に接続されている。
【００２８】
このような管内用抵抗器２４は、図３に示すように構成されている。
【００２９】
管内用抵抗器２４は、酸化アルミニウム等のセラミックス系の材料で形成され、電子銃２１に並設された長方形状の絶縁基板２９と、この絶縁基板２９上の所定の箇所に形成された複数の島状の端子用電極３０とを備える。端子用電極３０は、酸化ルテニウムを含む金属酸化物とほう硅酸鉛系のガラスよりなる、１０ｋΩ／□のシート抵抗値を有する低抵抗ペースト材をスクリーン印刷法によって印刷して乾燥させ焼成して形成されている。各端子用電極３０は、略円環形状に形成されている。図４に示すように、それぞれの環状の端子用電極３０と中心を同じくし、且つ端子用電極３０の周囲を取り囲むように、絶縁基板２９に円弧状（例えば略「Ｃ」字状）の溝３７が形成されている。溝３７は、後述する抵抗体３５が形成される部分には形成されず、端子用電極３０よりわずかに離間して設けられる。また、環状の端子用電極３０の中央には、絶縁基板２９を貫通する透孔３１が穿設されている。
【００３０】
端子用電極３０と端子片２７との電気的接続は以下のようにして行う。ステンレス鋼材やクロム酸化膜付の金属鋼材等からなる舌片状の端子片２７の一端に形成されたはとめ部３２を透孔３１に挿入する。はとめ部３２の周囲の鍔部３４の周囲には、その外周縁が鍔部３４に対してはとめ部３２と略平行になるように折り曲げられた折り曲げ部４０が形成されている。この折り曲げ部４０は円弧状の溝３７に嵌入される。折り曲げ部４０は対応する溝３７の配置形状に合わせて形成されている。その後、はとめ部３２の先端をかしめてかしめ部３３を形成することにより、絶縁基板２９と端子用電極３０とをはとめ部３２の周囲の鍔部３４とかしめ部３３とで両側から強固に挟持させて、端子片２７を絶縁基板２９に固定する。かしめを行った後の状態において、鍔部３４の周囲の折り曲げ部４０の先端が溝３７の底に接触することがないように溝３７の深さが設定されている。従って、端子片２７の鍔部３４は端子用電極３０に対して浮き上がることなく、両者は確実に面接触するので、端子用電極３０と端子片２７とは確実に電気的に接続される。
【００３１】
各端子用電極３０は抵抗体３５で接続されている。この抵抗体３５は、酸化ルテニウムを含む金属酸化物とほう硅酸鉛系のガラスよりなる、５ＭΩ／□のシート抵抗値を有する高抵抗ペースト材を絶縁基板２９上にスクリーン印刷法によって印刷し乾燥させ焼成することにより形成されている。抵抗体３５が形成される絶縁基板２９の部分には、溝３７は形成されていない。各端子用電極３０間の抵抗体３５は、所望の抵抗値（０．１×１０9〜２．０×１０9Ω）が得られるように、蛇行させたり間隔を変化させたりすることにより幅及び長さが適切に設定されており、その結果、端子用電極３０のそれぞれにて所望の電圧が得られる。
【００３２】
絶縁基板２９の表面及び抵抗体３５は、端子用電極３０を除いて絶縁被膜層３６によって被覆されている。絶縁被膜層３６は、遷移金属酸化物とほう硅酸鉛を主成分とする絶縁材をスクリーン印刷法によって印刷し乾燥させ焼成することにより形成される。
【００３３】
端子用電極３０と絶縁被膜層３６との間隔は、環状の端子用電極３０に対していずれの方向においても同じであっても良く、あるいは放電の確率が低い低電圧側の部分で狭く（もしくは接触させ）、高電圧側の部分では広くなるように不均一であっても良い。
【００３４】
本発明では、端子片２７の鍔部３４の外周縁がはとめ部３２と略平行になるように折り曲げられて折り曲げ部４０が形成されている。そして、この折り曲げ部４０の先端が端子用電極３０を取り囲むように絶縁基板２９上に設けられた溝３７に嵌入されている。この結果、絶縁基板２９の表面に対する法線方向に沿って見たとき、端子用電極３０は鍔部３４で覆われており、絶縁基板２９の表面と平行な方向に沿って見たとき、端子用電極３０は折り曲げ部４０によってほぼ覆われている。従って、端子用電極３０のエッヂ部へのイオン衝突をほぼ完全に防止できる。これにより、端子用電極３０のエッヂ部の破壊を防止できる。また、端子用電極３０のエッヂ部への電界集中を回避することができるので、放電の発生を抑えることができ、良好な特性を保持した管内用抵抗器及びこれを内蔵した陰極線管を得ることができる。
【００３５】
よって、端子用電極３０のエッヂ部の破損に伴なうガラス粉の飛散が防止されるので、シャドウマスク１４のアパーチャ詰まりをなくすことができる。更に、グロー放電の起点となる端子用電極３０のエッヂ部を覆い隠すことで、抵抗器２４に起因するグロー放電を抑制することができる。従って、グロー放電時の電流によって抵抗体３５が損傷することによって生じる、抵抗値変化によるフォーカス不良や抵抗体３５の断線等の不具合を防止することができる。
【実施例】
【００３６】
本発明の効果を検証するために、本発明の管内用抵抗器を内蔵した陰極線管（本発明品）と、図７及び図８に示した従来の管内用抵抗器を内蔵した陰極線管（従来品）とを用いて、耐電圧処理後の端子用電極のエッヂ部の破壊発生率と、耐電圧処理前後での分割比変化率とを、それぞれ４０本のサンプルについて調査した。破壊発生率は、耐電圧処理によって端子用電極のエッヂ部にイオンが衝突してエッヂ部の破壊が確認された陰極線管の本数比率である。また、分割比変化率は、端子用電極を挟む両側の抵抗体の抵抗値が耐電圧処理によって変化することにより生じる分圧電圧の変化（ΔＥ）の割合を４０本のサンプルについて平均した値である。結果を表１に示す。
【００３７】
【表１】
2005222735.tif 000003
【００３８】
表１からも判るように、端子用電極のエッヂ部の破壊発生率は、本発明品では０％であったのに対し、従来品においては１７．５％であった。これより、本発明によれば耐電圧処理の際の端子用電極のエッジ部の破壊を防止できることが確認できた。
【００３９】
一方、耐電圧処理前後の分割比変化率は、本発明では−０．４％〜＋０．２％の間でばらつき、平均値が−０．１％であったのに対し、従来品では−０．５％〜＋０．１％の間でばらつき、平均が−０．２％であった。これより、耐電圧処理による分割比変化率に関して、本発明は従来品と同等で遜色のない結果を有していた。従って、本発明は、耐電圧処理をすることにより分圧特性がほとんど変化せず、従ってフォーカス特性などに悪影響を及ぼさないことが確認できた。
【産業上の利用可能性】
【００４０】
本発明の利用分野は特に制限はなく、例えば、テレビジョンまたはコンピュータディスプレイ等に利用される陰極線管に広範囲に利用できる。
【図面の簡単な説明】
【００４１】
【図１】本発明に係る管内用抵抗器を内蔵した陰極線管を示す断面図。
【図２】本発明に係る陰極線管の電子銃部分を示す縦断面図。
【図３】本発明に係る陰極線管に使用される管内用抵抗器を示す平面図。
【図４】図３に示す管内用抵抗器の端子用電極及び端子片での断面図。
【図５】従来のカラー陰極線管を示す断面図。
【図６】従来のカラー陰極線管の電子銃の一構成例を示す縦方向片断面図。
【図７】従来のカラー陰極線管における管内用抵抗器を示す平面図。
【図８】図７に示す管内用抵抗器の端子用電極及び端子片での断面図。
【符号の説明】
【００４２】
１１：フェースパネル
１２：ファンネル
１３：蛍光体スクリーン
１９：ネック
２０Ｂ，２０Ｇ，２０Ｒ：電子ビーム
２１：電子銃
２４：管内用抵抗器
２７：端子片
２９：絶縁基板
３０：端子用電極
３１：透孔
３２：はとめ部
３３：かしめ部
３４：鍔部
３５：抵抗体
３７：溝
４０：折り曲げ部
Ｇ１〜Ｇ８：グリッド電極
ＣＶ：コンバーゼンスカップ
【図１】
2005222735.tif 000004
【図２】
2005222735.tif 000005
【図３】
2005222735.tif 000006
【図４】
2005222735.tif 000007
【図５】
2005222735.tif 000008
【図６】
2005222735.tif 000009
【図７】
2005222735.tif 000010
【図８】
2005222735.tif 000011